(57)【要約】【課題】伝送品質を劣化させることなく、チャネル推定精度を向上させる。【解決手段】制御部１０１は、１サブフレーム内にデータシンボルと復調用参照信号（ＤＭＲＳ）とが時間多重された上りリンク信号を複数のサブフレームに渡ってレピティションする端末２００に対して、複数のサブフレームの数に対応するカバレッジエンハンスメントレベルが所定値未満の場合、予め規定された数のＤＭＲＳを設定し、カバレッジエンハンスメントレベルが所定値以上の場合、予め規定された数に所定数追加したＤＭＲＳを設定する。受信部１１０は、端末２００から送信された、上記設定された数のＤＭＲＳを含む上りリンク信号を受信する。チャネル推定部１１５は、受信された上りリンク信号に含まれるＤＭＲＳを用いてチャネル推定を行う。【選択図】図８
2019071640.tif 000002
【特許請求の範囲】
【請求項１】
１サブフレーム内にデータシンボルと復調用参照信号（ＤＭＲＳ）とが時間多重された上りリンク信号を送信する端末に対して、第１の数のＤＭＲＳ又は前記第１の数より大きい第２の数のＤＭＲＳを設定する制御部と、
前記端末から送信された前記ＤＭＲＳを含む前記上りリンク信号を受信する受信部と、
前記受信された上りリンク信号に含まれる前記ＤＭＲＳを用いてチャネル推定を行うチャネル推定部と、
を具備し、
前記制御部は、前記端末がサウンディング参照信号（ＳＲＳ）を送信しないサブフレームに対して、前記第２の数のＤＭＲＳを設定する、
基地局。
【請求項２】
前記制御部は、前記端末が、前記ＳＲＳを送信するサブフレームに対して、前記第１の数のＤＭＲＳを設定する、
請求項１に記載の基地局。
【請求項３】
前記端末は、前記上りリンク信号を複数のサブフレームに渡ってレピティションして送信し、
前記制御部は、前記複数のサブフレームの数に対応するカバレッジエンハンスメントレベルが所定値未満の場合、前記第１の数のＤＭＲＳを設定し、前記カバレッジエンハンスメントレベルが前記所定値以上の場合、前記第２の数のＤＭＲＳを設定する、
請求項１又は２に記載の基地局。
【請求項４】
前記第２の数のＤＭＲＳは、前記第１の数のＤＭＲＳに、追加ＤＭＲＳを追加することにより得られる、
請求項１から３のいずれか１項に記載の基地局。
【請求項５】
前記追加ＤＭＲＳは、１サブフレーム内にシンボル単位で配置される、
請求項４に記載の基地局。
【請求項６】
前記追加ＤＭＲＳは、ランクインジケータ（ＲＩ）が配置されるシンボルに配置される、
請求項４又は５に記載の基地局。
【請求項７】
前記追加ＤＭＲＳは、前記端末が前記ＳＲＳを送信しないサブフレームの最終シンボルに配置される、
請求項４又は５に記載の基地局。
【請求項８】
前記追加ＤＭＲＳは、１サブフレーム内にリソースエレメント単位で配置される、
請求項４に記載の基地局。
【請求項９】
前記追加ＤＭＲＳは、ランクインジケータ（ＲＩ）が配置されるリソースエレメントに配置される、
請求項４又は８に記載の基地局。
【請求項１０】
前記端末に対して前記第２の数のＤＭＲＳが設定された場合、
前記ＤＭＲＳは、PUCCH format 2で規定されたＤＭＲＳの配置パターンに従って配置される、
請求項１から９のいずれか１項に記載の基地局。
【請求項１１】
前記第２の数のＤＭＲＳは、前記第１の数のＤＭＲＳに、追加ＤＭＲＳを追加することにより得られ、
前記端末に対して前記第２の数のＤＭＲＳが設定された場合、
前記チャネル推定部は、前記ＳＲＳが送信される第１サブフレームでは、前記第１の数のＤＭＲＳと、前記ＳＲＳとを用いてチャネル推定を行い、前記ＳＲＳが送信されない第２サブフレームでは、前記第１の数のＤＭＲＳと、前記第１サブフレームにおいてＳＲＳが配置される位置に配置された前記追加ＤＭＲＳとを用いてチャネル推定を行う、
請求項１から１０のいずれか１項に記載の基地局。
【請求項１２】
１サブフレーム内にデータシンボルと復調用参照信号（ＤＭＲＳ）とが時間多重された上りリンク信号に対して、第１の数のＤＭＲＳ又は前記第１の数より大きい第２の数のＤＭＲＳを設定する制御部と、
前記ＤＭＲＳを含む前記上りリンク信号を送信する送信部と、
を具備し、
前記制御部は、サウンディング参照信号（ＳＲＳ）を送信しないサブフレームに対して、前記第２の数のＤＭＲＳを設定する、
端末。
【請求項１３】
前記制御部は、前記ＳＲＳを送信するサブフレームに対して、前記第１の数のＤＭＲＳを設定する、
請求項１２に記載の端末。
【請求項１４】
前記送信部は、前記上りリンク信号を複数のサブフレームに渡ってレピティションして送信し、
前記制御部は、前記複数のサブフレームの数に対応するカバレッジエンハンスメントレベルが所定値未満の場合、前記第１の数のＤＭＲＳを設定し、前記カバレッジエンハンスメントレベルが前記所定値以上の場合、前記第２の数のＤＭＲＳを設定する、
請求項１２又は１３に記載の端末。
【請求項１５】
１サブフレーム内にデータシンボルと復調用参照信号（ＤＭＲＳ）とが時間多重された上りリンク信号を送信する端末に対して、第１の数のＤＭＲＳ又は前記第１の数より大きい第２の数のＤＭＲＳを設定し、
前記端末から送信された前記ＤＭＲＳを含む前記上りリンク信号を受信し、
前記受信された上りリンク信号に含まれる前記ＤＭＲＳを用いてチャネル推定を行う、
受信方法であって、
前記端末がサウンディング参照信号（ＳＲＳ）を送信しないサブフレームに対して、前記第２の数のＤＭＲＳを設定する、
受信方法。
【請求項１６】
１サブフレーム内にデータシンボルと復調用参照信号（ＤＭＲＳ）とが時間多重された上りリンク信号に対して、第１の数のＤＭＲＳ又は前記第１の数より大きい第２の数のＤＭＲＳを設定し、
前記ＤＭＲＳを含む前記上りリンク信号を送信する、
送信方法であって、
サウンディング参照信号（ＳＲＳ）を送信しないサブフレームに対して、前記第２の数のＤＭＲＳを設定する、
送信方法。
【発明の詳細な説明】
【技術分野】
【０００１】
本開示は、基地局、端末、受信方法及び送信方法に関する。
【背景技術】
【０００２】
3GPP LTE（3rd Generation Partnership Project Long Term Evolution）では、基地局（eNBと呼ぶこともある）から端末（UE（User Equipment）と呼ぶこともある）への下りリンクの通信方式としてOFDMA（Orthogonal Frequency Division Multiple Access）が採用され、端末から基地局への上りリンクの通信方式としてSC-FDMA（Single Carrier-Frequency Division Multiple Access）が採用されている（例えば、非特許文献１−３を参照）。
【０００３】
LTEでは、基地局は、システム帯域内のリソースブロック（RB:Resource Block）をサブフレームと呼ばれる時間単位毎に端末に対して割り当てることにより通信を行う。図１は、上りリンク共用チャネル（PUSCH：Physical Uplink Shared Channel）におけるサブフレーム構成例を示す。図１に示すように、１サブフレームは２つの時間スロットから構成される。各スロットには、複数のSC-FDMAデータシンボルと復調用参照信号（DMRS：Demodulation Reference Signal）とが時間多重される。基地局は、PUSCHを受信すると、DMRSを用いてチャネル推定を行う。その後、基地局は、チャネル推定結果を用いて、SC-FDMAデータシンボルの復調・復号を行う。
【０００４】
ところで、今後の情報社会を支える仕組みとして、近年、ユーザの判断を介することなく機器間の自律的な通信によりサービスを実現するM2M（Machine-to-Machine）通信が期待されている。M2Mシステムの具体的な応用事例としてスマートグリッドがある。スマートグリッドは、電気又はガスなどのライフラインを効率的に供給するインフラシステムであり、各家庭又はビルに配備されるスマートメータと中央サーバとの間でM2M通信を実施して、自律的かつ効果的に資源の需要バランスを調整する。M2M通信システムの他の応用事例として、物品管理又は遠隔医療などのためのモニタリングシステム、自動販売機の在庫又は課金の遠隔管理などが挙げられる。
【０００５】
M2M通信システムにおいては、特に広範な通信エリアを有するセルラシステムの利用が着目されている。3GPPでは、LTE及びLTE-Advancedの規格化においてセルラネットワークを前提としたM2Mの検討が、マシンタイプ通信（MTC: Machine Type Communication）という名称で進められている。特に、スマートメータなどのMTC通信機器が、ビルの地下などの既存の通信エリアにおいて利用できない場所に配置されている場合に対応するため、通信エリアをさらに拡大する「カバレッジエンハンスメント（Coverage Enhancement）」が検討されている（例えば、非特許文献４を参照）。
【０００６】
特に、MTCカバレッジエンハンスメントでは、同一信号を複数回繰り返して送信するレピティションが通信エリア拡大の重要な技術であると考えられている。具体的には、PUSCHにおいてレピティション送信を行うことが検討されている。PUSCHの受信側である基地局では、レピティション送信された信号を合成することにより、受信信号電力の改善を図ることができ、通信エリアを拡大できる。
【０００７】
レピティション送信は同一信号の送信のために多くの時間リソースを必要とするため、周波数利用効率の劣化を引き起こす。そのため、所要のカバレッジエンハンスメントを実現するのに必要なレピティション回数は可能な限り少なくすることが望ましい。そこで、PUSCHにおいて所要のカバレッジエンハンスメントを実現するのに必要なレピティション回数を削減するための技術が検討されている。例えば、所要のカバレッジエンハンスメントを実現するのに必要なレピティション回数を削減するための技術の１つとして、「複数サブフレームチャネル推定及びシンボルレベル合成」がある（例えば、非特許文献５を参照）。
【０００８】
複数サブフレームチャネル推定及びシンボルレベル合成では、図２に示すように、複数サブフレーム（NRepサブフレーム）に渡ってレピティション送信される信号に対して、基地局は、レピティション回数と同一又は少ないサブフレーム（NSFサブフレーム）に渡ってシンボル単位で同相合成を行う。その後、基地局は、同相合成後のDMRSを用いてチャネル推定を行い、得られたチャネル推定結果を用いて、SC-FDMAデータシンボルの復調・復号を行う。
【０００９】
複数サブフレームチャネル推定及びシンボルレベル合成が行われる単位であるサブフレーム数（NSF）がレピティション回数（NRep）よりも少ない場合、基地局は、復調・復号後の（NRep/NSF）シンボルを合成する。
【００１０】
複数サブフレームチャネル推定及びシンボルレベル合成を用いることにより、サブフレーム単位でチャネル推定及びSC-FDMAデータシンボルの復調・復号を行う単純なレピティションと比較して、PUSCHの伝送品質を改善できることが明らかになっている（例えば、非特許文献５を参照）。例えば、４サブフレーム（NSF=4）の複数サブフレームチャネル推定及びシンボルレベル合成では、単純なレピティションと比較して所要のブロック誤り率（BLER：Block Error Ratio）を達成するのに必要なSNR（Signal to Noise Power Ratio）を1.4〜2.6dB改善できる。また、８サブフレーム（NSF=8）の複数サブフレームチャネル推定及びシンボルレベル合成では、単純なレピティションと比較して所要BLERを達成するのに必要なSNRを1.9〜3.5dB改善できる。
【００１１】
また、PUSCHレピティションにおいてチャネル推定精度を劣化させないために、図３に示すように、PUSCHにおいて、既存のDMRSのシンボル（図３上図）に対して、挿入するDMRSのシンボル数を増加させることが提案されている（図３下図を参照。例えば、非特許文献６を参照）。DMRSのシンボル数の増加は、チャネル推定及びシンボルレベル合成に利用できるDMRSの数が増加するため、チャネル推定精度の改善に有効である。
【先行技術文献】
【非特許文献】
【００１２】
【非特許文献１】3GPP TS 36.211 V12.0.0, “Evolved Universal Terrestrial Radio Access (E-UTRA); Physical channels and modulation,”December 2014.
【非特許文献２】3GPP TS 36.212 V12.0.0, ““Evolved Universal Terrestrial Radio Access (E-UTRA); Multiplexing and channel coding,”December 2014.
【非特許文献３】3GPP TS 36.213 V12.0.0, “Evolved Universal Terrestrial Radio Access (E-UTRA); Physical layer procedures,”December 2014.
【非特許文献４】RP-141660, Ericsson, Nokia Networks, “New WI proposal: Further LTE Physical Layer Enhancements for MTC”
【非特許文献５】R1-150312, Panasonic, “Discussion and performance evaluation on PUSCH coverage enhancement”
【非特許文献６】R1-150289, NEC, “Uplink Reference Signal Enhancement for MTC”
【発明の概要】
【発明が解決しようとする課題】
【００１３】
DMRSを増加させると、PUSCHにおける各サブフレームで送ることができるデータビット数が減少するため、MCS（Modulation and Coding Scheme）を固定とした場合にはデータに対して高い符号化率を用いなければならず、データの伝送品質が劣化してしまう。つまり、DMRS数に基づくチャネル推定精度と、データの符号化率に基づく伝送品質とはトレードオフの関係となる。
【００１４】
本開示の一態様は、伝送品質を劣化させることなく、チャネル推定精度を向上させることができる基地局、端末、受信方法及び送信方法を提供することである。
【課題を解決するための手段】
【００１５】
本開示の一態様に係る基地局は、１サブフレーム内にデータシンボルと復調用参照信号（ＤＭＲＳ）とが時間多重された上りリンク信号を複数のサブフレームに渡ってレピティションする端末に対して、前記複数のサブフレームの数に対応するカバレッジエンハンスメントレベルが所定値未満の場合、第１の数のＤＭＲＳを設定し、前記カバレッジエンハンスメントレベルが前記所定値以上の場合、前記第１の数より大きい第２の数のＤＭＲＳを設定する制御部と、前記端末から送信された前記ＤＭＲＳを含む前記上りリンク信号を受信する受信部と、前記受信された上りリンク信号に含まれる前記ＤＭＲＳを用いてチャネル推定を行うチャネル推定部と、を具備する構成を採る。
【００１６】
本開示の一態様に係る端末は、１サブフレーム内にデータシンボルと復調用参照信号（ＤＭＲＳ）とが時間多重された上りリンク信号に対して複数のサブフレームに渡るレピティションを適用する場合、自端末に対して、前記複数のサブフレームの数に対応するカバレッジエンハンスメントレベルが所定値未満の場合、第１の数のＤＭＲＳを設定し、前記カバレッジエンハンスメントレベルが前記所定値以上の場合、前記第１の数より大きい第２の数のＤＭＲＳを設定する制御部と、前記ＤＭＲＳを含む前記上りリンク信号を送信する送信部と、を具備する構成を採る。
【００１７】
本開示の一態様に係る受信方法は、１サブフレーム内にデータシンボルと復調用参照信号（ＤＭＲＳ）とが時間多重された上りリンク信号を複数のサブフレームに渡ってレピティションする端末に対して、前記複数のサブフレームの数に対応するカバレッジエンハンスメントレベルが所定値未満の場合、第１の数のＤＭＲＳを設定し、前記カバレッジエンハンスメントレベルが前記所定値以上の場合、前記第１の数より大きい第２の数のＤＭＲＳを設定し、前記端末から送信された前記ＤＭＲＳを含む前記上りリンク信号を受信し、前記受信された上りリンク信号に含まれる前記ＤＭＲＳを用いてチャネル推定を行う。
【００１８】
本開示の一態様に係る送信方法は、１サブフレーム内にデータシンボルと復調用参照信号（ＤＭＲＳ）とが時間多重された上りリンク信号に対して複数のサブフレームに渡るレピティションを適用する場合、自端末に対して、前記複数のサブフレームの数に対応するカバレッジエンハンスメントレベルが所定値未満の場合、第１の数のＤＭＲＳを設定し、前記カバレッジエンハンスメントレベルが前記所定値以上の場合、前記第１の数より大きい第２の数のＤＭＲＳを設定し、前記ＤＭＲＳを含む前記上りリンク信号を送信する。
【００１９】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００２０】
本開示の一態様によれば、伝送品質を劣化させることなく、チャネル推定精度を向上させることができる。
【００２１】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００２２】
【図１】PUSCHのサブフレーム構成の一例を示す図
【図２】複数サブフレームチャネル推定及びシンボルレベル合成の動作例を示す図
【図３】DMRS配置の一例を示す図
【図４Ａ】レピティション回数NRep=8の場合のBLER特性を示す図
【図４Ｂ】レピティション回数NRep=128の場合のBLER特性を示す図
【図５】DMRSを増加させた場合のBLER特性を示す図
【図６】実施の形態１に係る基地局の要部構成を示すブロック図
【図７】実施の形態１に係る端末の要部構成を示すブロック図
【図８】実施の形態１に係る基地局の構成を示すブロック図
【図９】実施の形態１に係る端末の構成を示すブロック図
【図１０Ａ】既存のDMRS配置の一例を示す図
【図１０Ｂ】実施の形態１に係るDMRSを増加させた場合のDMRS配置の一例を示す図
【図１０Ｃ】実施の形態１に係るDMRSを増加させた場合のDMRS配置の一例を示す図
【図１１】PUSCHのサブフレームにおける信号配置の一例を示す図
【図１２Ａ】extended CPモードにおけるDMRS配置の一例を示す図
【図１２Ｂ】実施の形態１のバリエーション１に係るDMRSを増加させた場合のDMRS配置の一例を示す図
【図１２Ｃ】実施の形態１のバリエーション１に係るDMRSを増加させた場合のDMRS配置の一例を示す図
【図１３】実施の形態１のバリエーション２に係るDMRSを増加させた場合のDMRS配置の一例を示す図
【図１４】実施の形態２に係るDMRSを増加させた場合のDMRS配置の一例を示す図
【図１５】DMRS及びSRSの配置例を示す図
【図１６Ａ】実施の形態３のバリエーションに係るDMRSを増加させた場合のDMRS配置の一例を示す図
【図１６Ｂ】実施の形態３のバリエーションに係るSRSが送信されるサブフレームにおける信号配置の一例を示す図
【発明を実施するための形態】
【００２３】
以下、本開示の実施の形態について図面を参照して詳細に説明する。
【００２４】
［本開示の一態様の着眼点］
MTCカバレッジエンハンスメントでは、複数のカバレッジエンハンスメントレベルを定義することが検討されている。例えば、カバレッジエンハンスメントレベルとして、通常のカバレッジ（カバレッジエンハンスメントを適用しない場合）と比較して5dB、10dB、15dBの３つ程度を定義することが検討されている。また、MTCカバレッジエンハンスメントにおいて、通常の端末と比較して最大送信電力が小さい端末が定義された場合には、その端末に対するカバレッジエンハンスメントレベルは、通常のカバレッジと比較して6dB、12dB、18dBとすることが検討されている。
【００２５】
以下では、5dB又は6dBのカバレッジエンハンスメントが必要なカバレッジエンハンスメントレベルを「Small coverage enhancementレベル」と呼び、10dB又は12dBのカバレッジエンハンスメントが必要なカバレッジエンハンスメントレベルを「Middle coverage enhancementレベル」と呼び、15dB又は18dBのカバレッジエンハンスメントが必要なカバレッジエンハンスメントレベルを「Large coverage enhancementレベル」と呼ぶこともある。なお、各エンハンスメントレベルにおいて必要なレベルは5dB、6dB、10dB、12dB、15dB、18dBに限定されるものではない。
【００２６】
一般に、大きいカバレッジエンハンスメントレベルを達成するためには、より多くのレピティションが必要となる。例えば、15dB及び18dBのカバレッジエンハンスメントを達成するために必要なレピティション回数は、64及び128サブフレーム程度となる。
【００２７】
しかし、64又は128サブフレームのレピティションを行う場合、周波数オフセットの影響により、基地局においてレピティション回数と同数のサブフレームを用いて複数サブフレームチャネル推定及びシンボルレベル合成を行っても受信信号の位相が揃わず却って特性が劣化してしまう。このため、複数サブフレームチャネル推定及びシンボルレベル合成に用いることができるサブフレーム数（NSF）は、４又は８サブフレーム程度が限界であると云える。
【００２８】
よって、64又は128サブフレーム等の非常に多くのレピティション回数を要する場合でも、基地局は、４又は８サブフレーム程度の複数サブフレームチャネル推定及びシンボルレベル合成を行うことになる。しかしながら、非常に多くのレピティション回数（６４又は128回）を要する場合に、４又は８サブフレーム程度の少ないサブフレームによる複数サブフレームチャネル推定及びシンボルレベル合成を行っても、同相合成後のDMRSの受信信号電力対干渉電力比（SNR）は非常に小さくなるので、チャネル推定精度の劣化が生じてしまう。
【００２９】
図４Ａ及び図４Ｂは複数サブフレームチャネル推定及びシンボルレベル合成を用いたPUSCHレピティションのBLER特性を示す。図４Ａは８回レピティションの場合のBLER特性を示し、図４Ｂは128回レピティションの場合のBLER特性を示す。また、図４Ａ及び図４Ｂでは、比較として理想チャネル推定の場合のBLER特性も示している。
【００３０】
図４Ａ及び図４Ｂより、レピティション回数が比較的少ない８レピティションの場合には、複数サブフレームチャネル推定及びシンボルレベル合成を行うことで理想チャネル推定からの劣化量を2dB程度に抑えることができる。これに対して、レピティション回数が比較的多い128レピティションの場合には、４又は８サブフレームのチャネル推定及びシンボルレベル合成では、理想チャネル推定からの劣化が5dBと大きくなることが分かる。
【００３１】
以上のように、レピティション回数が比較的多い場合に複数サブフレームチャネル推定及びシンボルレベル合成を行うと理想チャネル推定の場合と比較して特性が劣化してしまう。
【００３２】
次に、PUSCHにおいて、既存のDMRSのシンボル（図３上図）に対して挿入するDMRSのシンボル数を増加させる場合について検討する。
【００３３】
図５は、レピティション回数NRep=4,8,16,32,64,128のそれぞれについて、図３の上図に示すように１スロットに１個のDMRSを配置する場合（1x DMRS。DMRSを増加させない場合）のBLER特性、及び、図３の下図に示すように１スロットに２個のDMRSを配置する場合（2x DMRS。DMRSを２倍に増加する場合）のBLER特性を示す。また、図５では、比較として、レピティション回数NRep=1（レピティション無し）、かつ、図３の上図に示すように１スロットに１個のDMRSを配置する場合（通常のカバレッジに相当）のBLER特性を示す。また、図５は、４サブフレーム（NSF=4）のチャネル推定及びシンボルレベル合成を用いた場合のBLER特性を示す。
【００３４】
図５に示すように、5dB又は6dBのカバレッジエンハンスメントが必要なSmall coverage enhancementレベルでは、４回（NRep=4）程度のレピティションが必要である。また、10dB又は12dBのカバレッジエンハンスメントが必要なMiddle coverage enhancementレベルでは、１６回（NRep=16）程度のレピティションが必要である。また、15dB又は18dBのカバレッジエンハンスメントが必要なLarge coverage enhancementレベルでは、128回（NRep=128）程度のレピティションが必要であることが分かる。
【００３５】
一方、図５に示すように、DMRSを２倍に増加させた場合、Small又はMiddle coverage enhancementレベルに必要な４回、８回又は１６回（NRep=4,8,16）のレピティションでは、DMRSを増加させない場合と比較して、BLER特性が同等若しくは劣化することが分かる。これに対して、Large coverage enhancementレベルに必要な64回又は128回（NRep=64,128）のレピティションでは、DMRSを２倍に増加させた場合には、DMRSを増加させない場合と比較して、BLER特性が改善されていることが分かる。
【００３６】
以上のように、DMRSの増加は、レピティション回数が比較的多い場合（図５ではNRep=64以上）のみに有効であることが分かる。
【００３７】
このように、レピティション回数が比較的少ないSmall又はMiddle coverage enhancementレベルでは、図４Ａに示すように複数サブフレームチャネル推定及びシンボルレベル合成によるPUSCHの特性改善が得られるのに対して、図５に示すようにDMRSの増加によるPUSCHの特性改善が得られない。
【００３８】
一方、レピティション回数が比較的多いLarge coverage enhancementレベルでは、図４Ｂに示すように複数サブフレームチャネル推定及びシンボルレベル合成によるPUSCHの特性改善が十分ではないのに対して、図５に示すようにDMRSの増加によるPUSCHの特性改善が得られる。
【００３９】
そこで、本開示の一態様では、MTCカバレッジエンハンスメントモードが設定される端末のうち、Large coverage enhancementレベルの端末に対して、通常の端末に対するDMRS（予め規定された数のDMRS）より多いDMRSを設定する。一方、Middle coverage enhancementレベル及びSmall coverage enhancementレベルの端末に対して、通常の端末に対するDMRSと同様のDMRSを設定する（つまりDMRSを増加させない)。
【００４０】
これにより、複数サブフレームチャネル推定及びシンボルレベル合成を行う場合には、Small又はMiddle coverage enhancementレベルでは、DMRSを増加させなくてもPUSCHの伝送特性を改善できる。また、Large coverage enhancementレベルでは、DMRSの増加によってPUSCHの伝送特性を改善できる。
【００４１】
また、DMRSの増加は、伝送品質の改善が期待できるLarge coverage enhancementレベルのみで適用され、Small又はMiddle coverage enhancementレベルでは適用されないので、Small又はMiddle coverage enhancementレベルではPUSCHで送ることができるデータビット数を減少させずにすむ。
【００４２】
［通信システムの概要］
本開示の各実施の形態に係る通信システムは、例えば、LTE-Advancedに対応するシステムであって、基地局１００及び端末２００を備える。
【００４３】
基地局１００のセル内に、MTCカバレッジエンハンスメントモードの端末２００が存在している場合を想定する。端末２００は、例えば、MTCカバレッジエンハンスメントモードが適用される場合、PUSCHの送信の際、複数のサブフレームに渡ってレピティション送信を適用する。すなわち、端末２００は、所定のレピティション回数（レピティションレベル、又はRepetition Factorと呼ぶこともある）分の連続するサブフレームにおいて同一の信号を繰り返し送信する。
【００４４】
例えば、NRep回のレピティションが行われる場合（つまり、レピティション回数：NRep）、端末２００は、１サブフレームの信号をNRepサブフレームに渡って連続送信する。
【００４５】
一方、基地局１００は、端末２００からレピティション送信される信号に対して、「複数サブフレームチャネル推定及びシンボルレベル合成」を行う（例えば、図２を参照）。具体的には、基地局１００は、レピティション回数NRepと同一又は少ないサブフレーム（NSFサブフレーム）に渡ってシンボル単位で同相合成を行う。その後、基地局１００は、同相合成後のDMRSを用いてチャネル推定を行い、得られたチャネル推定結果を用いて、SC-FDMAデータシンボルの復調・復号を行う。
【００４６】
図６は本開示の実施の形態に係る基地局１００の要部構成を示すブロック図である。図６に示す基地局１００において、制御部１０１は、１サブフレーム内にデータシンボルと復調用参照信号（ＤＭＲＳ）とが時間多重された上りリンク信号を複数のサブフレームに渡ってレピティションする端末２００に対して、複数のサブフレームの数に対応するカバレッジエンハンスメントレベルが所定値未満の場合、第１の数のＤＭＲＳを設定し、カバレッジエンハンスメントレベルが所定値以上の場合、第１の数より大きい第２の数のＤＭＲＳを設定する。受信部１１０は、端末２００から送信された、上記ＤＭＲＳを含む上りリンク信号を受信する。チャネル推定部１１５は、受信された上りリンク信号に含まれるＤＭＲＳを用いてチャネル推定を行う。
【００４７】
また、図７は、本開示の各実施の形態に係る端末２００の要部構成を示すブロック図である。図７に示す端末２００において、制御部２０６は、１サブフレーム内にデータシンボルと復調用参照信号（ＤＭＲＳ）とが時間多重された上りリンク信号に対して複数のサブフレームに渡るレピティションを適用する場合、自端末に対して、複数のサブフレームの数に対応するカバレッジエンハンスメントレベルが所定値未満の場合、第１の数のＤＭＲＳを設定し、カバレッジエンハンスメントレベルが所定値以上の場合、第１の数より大きい第２の数のＤＭＲＳを設定する。送信部２１６は、ＤＭＲＳを含む上りリンク信号を送信する。
【００４８】
（実施の形態１）
［基地局の構成］
図８は、本開示の実施の形態１に係る基地局１００の構成を示すブロック図である。図８において、基地局１００は、制御部１０１と、制御信号生成部１０２と、符号化部１０３と、変調部１０４と、マッピング部１０５と、IFFT（Inverse Fast Fourier Transform）部１０６と、CP（Cyclic Prefix）付加部１０７と、送信部１０８と、アンテナ１０９と、受信部１１０と、CP除去部１１１と、FFT（Fast Fourier Transform）部１１２と、合成部１１３と、デマッピング部１１４と、チャネル推定部１１５と、等化部１１６と、復調部１１７と、復号部１１８と、判定部１１９と、を有する。
【００４９】
制御部１０１は、リソース割当対象端末２００に対してPUSCHの割当を決定する。例えば、制御部１０１は、端末２００に対する周波数の割当リソース及び変調・符号化方法を決定し、決定したパラメータに関する情報を制御信号生成部１０２に出力する。
【００５０】
また、制御部１０１は、制御信号に対する符号化レベルを決定し、決定した符号化レベルを符号化部１０３に出力する。また、制御部１０１は、制御信号をマッピングする無線リソース（下りリソース）を決定し、決定した無線リソースに関する情報をマッピング部１０５に出力する。
【００５１】
また、制御部１０１は、端末２００のカバレッジエンハンスメントレベルを決定し、決定したカバレッジエンハンスメントレベルに関する情報、又は、決定したカバレッジエンハンスメントレベルでのPUSCH送信に必要なレピティション回数を制御信号生成部１０２に出力する。また、制御部１０１は、カバレッジエンハンスメントレベルに関する情報又はPUSCH送信に必要なレピティション回数に基づいて、端末２００がPUSCHレピティションに用いるDMRS数又はDMRS配置に関する情報を生成し、生成した情報をデマッピング部１１４へ出力する。
【００５２】
制御信号生成部１０２は、端末２００向けの制御信号を生成する。制御信号には、制御部１０１から受け取ったPUSCHの割当に関する情報を指示するための上りグラント用DCI（Downlink Control Indicator）が含まれる。上りグラント用DCIは、複数のビットから構成されており、周波数割当リソース、変調・符号化方式などを指示する情報を含む。
【００５３】
また、カバレッジエンハンスメントレベルに関する情報又はPUSCH送信に必要なレピティション回数をMTC用の下りリンク制御チャネルで送信する場合には、これらの情報も上りグラント用DCIに含まれる。なお、カバレッジエンハンスメントレベルに関する情報又はPUSCH送信に必要なレピティション回数は、上位レイヤのシグナリングにより端末２００の制御部２０６へ通知されてもよい。
【００５４】
制御信号生成部１０２は、制御部１０１から入力される情報を用いて、制御情報ビット列（制御信号）を生成し、生成した制御信号を符号化部１０３へ出力する。なお、制御信号が複数の端末２００向けに送信されることもあるため、制御信号生成部１０２は、各端末２００向けの制御信号に、各端末２００の端末IDを含めてビット列を生成する。例えば、制御信号には、宛先端末の端末IDによってマスキングされたCRC（Cyclic Redundancy Check）ビットが付加される。
【００５５】
符号化部１０３は、制御部１０１から指示された符号化レベルに従って、制御信号生成部１０２から受け取る制御信号（符号化ビット列）を符号化し、符号化後の制御信号を変調部１０４へ出力する。
【００５６】
変調部１０４は、符号化部１０３から受け取る制御信号を変調し、変調後の制御信号（シンボル列）をマッピング部１０５へ出力する。
【００５７】
マッピング部１０５は、変調部１０４から受け取る制御信号を、制御部１０１から指示される無線リソースにマッピングする。なお、制御信号がマッピングされる対象となる制御チャネルは、MTC用のPDCCHでもよく、EPDCCH（Enhanced PDCCH）でもよい。マッピング部１０５は、制御信号がマッピングされたMTC用のPDCCH又はEPDCCHを含む下りリンクサブフレームの信号をIFFT部１０６に出力する。
【００５８】
IFFT部１０６は、マッピング部１０５から受け取る信号に対してIFFT処理を行うことにより、周波数領域信号を時間領域信号に変換する。IFFT部１０６は、時間領域信号をCP付加部１０７へ出力する。
【００５９】
CP付加部１０７は、IFFT部１０６から受け取る信号に対してCPを付加し、CP付加後の信号（OFDM信号）を送信部１０８へ出力する。
【００６０】
送信部１０８は、CP付加部１０７から受け取るOFDM信号に対してD/A（Digital-to-Analog）変換、アップコンバート等のRF（Radio Frequency）処理を行い、アンテナ１０９を介して端末２００に無線信号を送信する。
【００６１】
受信部１１０は、アンテナ１０９を介して受信された端末２００からの上りリンク信号（PUSCH）に対して、ダウンコンバート又はA/D（Analog-to-Digital）変換などのRF処理を行い、得られる受信信号をCP除去部１１１に出力する。端末２００から送信される上りリンク信号（PUSCH）には、複数のサブフレームに渡るレピティション処理された信号が含まれる。
【００６２】
CP除去部１１１は、受信部１１０から受け取る受信信号に付加されているCPを除去し、CP除去後の信号をFFT部１１２へ出力する。
【００６３】
FFT部１１２は、CP除去部１１１から受け取る信号に対してFFT処理を行うことにより、周波数領域の信号系列に分解して、PUSCHのサブフレームに対応する信号を抽出し、抽出した信号を合成部１１３へ出力する。
【００６４】
合成部１１３は、レピティション送信された複数サブフレームに渡るPUSCHに対して、シンボルレベル合成を用いて、データ信号及びDMRSに相当する部分の信号を同相合成する。合成部１１３は、合成後の信号をデマッピング部１１４へ出力する。
【００６５】
デマッピング部１１４は、制御部１０１から入力される、端末２００がPUSCHレピティションに用いるDMRS数及びDMRS配置に関する情報を用いて、合成部１１３から受け取る信号から、端末２００に割り当てられたPUSCHのサブフレーム部分を抽出する。また、デマッピング部１１４は、抽出した端末２００のPUSCHのサブフレーム部分を、DMRSとデータシンボル（SC-FDMAデータシンボル）とに分解し、DMRSをチャネル推定部１１５に出力し、データシンボルを等化部１１６に出力する。
【００６６】
チャネル推定部１１５は、デマッピング部１１４から入力されるDMRSを用いてチャネル推定を行う。チャネル推定部１１５は、得られたチャネル推定値を等化部１１６に出力する。
【００６７】
等化部１１６は、チャネル推定部１１５から入力されるチャネル推定値を用いて、デマッピング部１１４から入力されるデータシンボルの等化を行う。等化部１１６は、等化後のデータシンボルを復調部１１７へ出力する。
【００６８】
復調部１１７は、等化部１１６から入力される周波数領域のSC-FDMAデータシンボルに対してIDFT（Inverse Descrete Fourier Transform）処理を適用し、時間領域信号へ変換した後、データ復調を行う。具体的には、復調部１１７は、端末２００に指示した変調方式に基づいて、シンボル系列をビット系列へ変換し、得られたビット系列を復号部１１８へ出力する。
【００６９】
復号部１１８は、復調部１１７から入力されるビット系列に対して誤り訂正復号を行い、復号後のビット系列を判定部１１９へ出力する。
【００７０】
判定部１１９は、復号部１１８から入力されるビット系列に対して誤り検出を行う。誤り検出は、ビット系列に付加されたCRCビットを用いて行われる。判定部１１９は、CRCビットの判定結果が誤り無しの場合、受信データを取り出し、ACKを出力する。一方、判定部１１９は、CRCビットの判定結果が誤り有りの場合、NACKを出力する。判定部１１９において出力されるACK及びNACKは、図示しない処理部において再送制御処理に用いられる。
【００７１】
［端末の構成］
図９は、本開示の実施の形態１に係る端末２００の構成を示すブロック図である。図９において、端末２００は、アンテナ２０１と、受信部２０２と、CP除去部２０３と、FFT部２０４と、抽出部２０５と、制御部２０６と、DMRS生成部２０７と、符号化部２０８と、変調部２０９と、多重部２１０と、DFT部２１１と、拡散部２１２と、マッピング部２１３と、IFFT部２１４と、CP付加部２１５と、送信部２１６と、を有する。
【００７２】
受信部２０２は、アンテナ２０１を介して受信された、基地局１００からの無線信号（MTC用のPDCCH又EPDCCH）に対してダウンコンバート又はAD変換などのRF処理を行い、ベースバンドのOFDM信号を得る。受信部２０２は、OFDM信号をCP除去部２０３へ出力する。
【００７３】
CP除去部２０３は、受信部２０２から受け取るOFDM信号に付加されているCPを除去し、CP除去後の信号をFFT部２０４へ出力する。
【００７４】
FFT部２０４は、CP除去部２０３から受け取る信号に対してFFT処理を行うことにより、時間領域信号を周波数領域信号に変換する。FFT部２０４は、周波数領域信号を抽出部２０５へ出力する。
【００７５】
抽出部２０５は、FFT部２０４から受け取る周波数領域信号（MTC用のPDCCH又はEPDCCH）に対してブラインド復号を行い、自機宛ての制御信号の復号を試みる。端末２００宛ての制御信号には、端末の端末IDによってマスキングされたCRCが付加されている。したがって、抽出部２０５は、ブラインド復号した結果、CRC判定がOKであればその制御情報を抽出して制御部２０６へ出力する。
【００７６】
制御部２０６は、抽出部２０５から入力される制御信号に基づいて、PUSCH送信の制御を行う。具体的には、制御部２０６は、制御信号に含まれるPUSCHのリソース割当情報に基づいて、PUSCH送信時のリソース割当をマッピング部２１３に指示する。また、制御部２０６は、制御信号に含まれる符号化・変調方式の情報に基づいて、PUSCH送信時の符号化方式及び変調方式を符号化部２０８及び変調部２０９にそれぞれ指示する。
【００７７】
また、制御部２０６は、カバレッジエンハンスメントレベルに関する情報又はPUSCH送信に必要なレピティション回数に関する情報が制御信号に含まれる場合、その情報に基づいて、PUSCHレピティション送信時のレピティション回数、及び、DMRS数の増加の有無を決定し、決定したレピティション回数及びDMRS数の増加の有無を示す情報を、レピティション部２１２及びDMRS生成部２０７にそれぞれ指示する。
【００７８】
また、制御部２０６は、カバレッジエンハンスメントレベルに関する情報又はPUSCH送信に必要なレピティション回数に関する情報が上位レイヤで基地局１００から通知される場合、通知された情報に基づいてPUSCHレピティション送信時のレピティション回数及びDMRS数の増加の有無を決定し、決定した情報をレピティション部２１２及びDMRS生成部２０７にそれぞれ指示する。また、制御部２０６は、上位レイヤで基地局１００から通知されるDMRSの増加数又はDMRSの位置に関する情報をDMRS生成部２０７に指示してもよい。
【００７９】
DMRS生成部２０７は、制御部２０６から指示されたDMRS数の増加の有無、増加するDMRS数、DMRSの位置、及び、DMRSパターンに従ってDMRSを生成し、生成したDMRSを多重部２１０へ出力する。
【００８０】
符号化部２０８は、入力される送信データ（上りリンクデータ）に対して、端末２００の端末IDによってマスキングされたCRCビットを付加し、誤り訂正符号化を行い、符号化後のビット列を変調部２０９へ出力する。
【００８１】
変調部２０９は、符号化部２０８から受け取るビット列を変調して、変調後の信号（データシンボル系列）を多重部２１０へ出力する。
【００８２】
多重部２１０は、変調部２０９から入力されるデータシンボル系列と、DMRS生成部２０７から入力されるDMRSとを時間多重し、多重後の信号をDFT部２１１へ出力する。
【００８３】
DFT部２１１は、多重部２１０から入力される信号に対してDFTを適用して、周波数領域信号を生成し、生成した周波数領域信号をレピティション部２１２へ出力する。
【００８４】
レピティション部２１２は、自端末がMTCカバレッジエンハンスメントモードの場合、制御部２０６から指示されたレピティション回数に基づいて、DFT部２１１から入力される信号を複数のサブフレームに渡ってレピティションし、レピティション信号を生成する。レピティション部２１２は、レピティション信号をマッピング部２１３へ出力する。
【００８５】
マッピング部２１３は、レピティション部２１２から受け取る信号を、制御部２０６から指示されるPUSCHの時間・周波数リソースにマッピングする。マッピング部２１３は、信号がマッピングされたPUSCHの信号をIFFT部２１４に出力する。
【００８６】
IFFT部２１４は、マッピング部２１３から入力される周波数領域のPUSCH信号に対してIFFT処理を行うことにより時間領域信号を生成する。IFFT部２１４は、生成した信号をCP付加部２１５へ出力する。
【００８７】
CP付加部２１５は、IFFT部２１４から受け取る時間領域信号に対してCPを付加し、CP付加後の信号を送信部２１６へ出力する。
【００８８】
送信部２１６は、CP付加部２１５から受け取る信号に対してD/A変換、アップコンバート等のRF処理を行い、アンテナ２０１を介して基地局１００に無線信号を送信する。
【００８９】
［基地局１００及び端末２００の動作］
以上の構成を有する基地局１００及び端末２００における動作について詳細に説明する。
【００９０】
基地局１００は、PUSCHの送受信よりも前に、カバレッジエンハンスメントレベル（Large、Middle、Small、No coverage enhancement）又はレピティション回数（NRep）を端末２００に通知する。
【００９１】
例えば、Large coverage enhancementレベル（15dB、18dB）とレピティション回数NRep＝128とが対応付けられ、Middle coverage enhancementレベル（10dB、12dB）とレピティション回数NRep＝16とが対応付けられ、Small coverage enhancementレベル（5dB、６dB）とレピティション回数NRep＝4とが対応付けられてもよい。
【００９２】
カバレッジエンハンスメントレベル（Large、Middle、Small、No coverage enhancement）又はレピティション回数（NRep）は、基地局１００から端末２００へ上位レイヤ（RRC signaling）を介して通知されてもよく、MTC用の下りリンク制御チャネルを用いて通知されてもよい。また、レピティション回数に関しては、端末２００に設定される符号化率から求めることもできるので、基地局１００が端末２００へMCSを通知することにより、レピティション回数は、明示的に通知されることなく、Implicitに通知されてもよい。
【００９３】
［DMRS追加の決定方法］
基地局１００（制御部１０１）は、カバレッジエンハンスメントモードが設定され、かつ、Middle coverage enhancementレベル又はSmall coverage enhancementレベルに設定された端末２００に対して、当該端末２００がPUSCHレピティションに用いるDMRSの数を増加させない。また、端末２００（制御部２０６）は、基地局１００から通知されたカバレッジエンハンスメントレベル又はレピティション回数（NRep）がMiddle、Small coverage enhancementレベル又はそれらに相当するレピティション回数（例えば、16回、8回）である場合、PUSCHに配置するDMRSの数を増加させない。
【００９４】
つまり、基地局１００及び端末２００は、端末２００に対してカバレッジエンハンスメントモード（レピティション送信）が適用される場合、カバレッジエンハンスメントレベルが所定値（例えば、15dB又は18dB）未満の場合、通常の端末に設定されるDMRS（予め規定された数のDMRS）を設定する。
【００９５】
この場合、例えば、図１０Ａに示すように、DMRSは、１サブフレーム内の各スロットの１シンボル（第3、第10番目のSC-FDMAシンボル）に配置される。
【００９６】
一方、基地局１００（制御部１０１）は、カバレッジエンハンスメントモードが設定され、かつ、Large coverage enhancementレベルに設定された端末２００に対して、当該端末２００がPUSCHレピティションに用いるDMRSの数を増加させる。また、端末２００（制御部２０６）は、基地局１００から通知されたカバレッジエンハンスメントレベル又はレピティション回数（NRep）がLarge coverage enhancementレベル又はそれに相当するレピティション回数（例えば128回）である場合、PUSCHに配置するDMRSの数を増加させる。
【００９７】
つまり、基地局１００及び端末２００は、端末２００に対してカバレッジエンハンスメントモード（レピティション送信）が適用される場合、カバレッジエンハンスメントレベルが所定値（例えば、15dB又は18dB）以上の場合、通常の端末に設定されるDMRS（予め規定された数のDMRS）に所定数追加したDMRSを設定する。
【００９８】
本実施の形態では、追加されるDMRSは、１サブフレーム内にシンボル単位で配置される。
【００９９】
例えば、図１０Ｂ又は図１０Ｃでは、１サブフレーム内の各スロットの１シンボル（第3、第10番目のSC-FDMAシンボル）に配置された既存のDMRSに加え、第1、第8番目のSC-FDMAシンボル、又は、第5、第12番目のSC-FDMAシンボルにDMRSが追加されている。つまり、図１０Ｂ及び図１０Ｃでは、図１０Ａと比較して、２倍の数のDMRSが配置される。
【０１００】
なお、DMRSの数を増加させる際、１サブフレームにおいて、DMRSを１シンボルのみ（つまり、何れか一方のスロットのDMRSのみ）増加させてもよい(つまり1.5倍に増加)。例えば、第3、第10番目のSC-FDMAシンボルに加え、図１０Ｂ又は図１０Ｃに示す第1、第5、第8、第12番目のSC-FDMAシンボルの何れか１つにDMRSシンボルが配置されてもよい。
【０１０１】
DMRSがシンボル単位で追加されることによるDMRS増加の粒度は7%（≒1/14）である。つまり、１サブフレームにおいて、DMRSを１シンボル分増加させると、DMRSによるオーバヘッドは7%増加する。よって、図１０Ｂ及び図１０ＣのようにDMRSを2倍（つまり２シンボル）増加させる場合、DMRSオーバヘッドは14%増加する。
【０１０２】
本実施の形態のように、DMRSをシンボル単位で追加することで、PAPR（Peak to Average Power Ratio。ピーク対平均信号電力比）を低く保つことができる利点がある。
【０１０３】
また、追加されるDMRSの系列として、既存のDMRS系列と同様の系列を用いてもよい。こうすることで、基地局１００では、複数サブフレームに渡るチャネル推定及び同相合成に加えて、追加されたDMRSも同相合成することができるため、チャネル推定精度を向上させることができる。
【０１０４】
また、本実施の形態では、Large coverage enhancementレベルが設定された端末２００に対してのみ、DMRSが追加され、それ以外のMiddle、Small coverage enhancementレベルが設定された端末２００に対しては、DMRSが追加されない。
【０１０５】
こうすることで、Large coverage enhancementレベルが設定された端末２００では、DMRSの増加によって、チャネル推定精度が向上し、PUSCHの伝送品質を改善させることができる。
【０１０６】
また、Middle、Small coverage enhancementレベルが設定された端末２００では、DMRSが追加されないので、PUSCHデータのデータビット数が減少することは無い。つまり、DMRSの増加によるデータの伝送品質の劣化は発生しない。また、上述したように、Middle、Small coverage enhancementレベルが設定された端末２００では、DMRSの数を増加させなくても、複数サブフレームチャネル推定及びシンボルレベル合成によってPUSCHの伝送品質を改善させることができる（図４Ａを参照）。
【０１０７】
以上のように、本実施の形態によれば、PUSCHにおける伝送品質を劣化させることなく、基地局１００でのチャネル推定精度を向上させることができる。
【０１０８】
［追加されるDMRSの配置方法］
ここで、図１０Ｂ又は図１０Ｃに示すようにDMRSの数を増加させる際に第1，第5，第8又は第12番目のSC-FDMAシンボルにDMRSを追加で配置する理由について説明する。
【０１０９】
PUSCHにおいて上り制御情報が多重される場合、図１１に示すように、下りデータ信号に対する応答信号（ACK/NACK）は、DMRSが配置されるSC-FDMAシンボル（第3、第10番目のSC-FDMAシンボル）に隣接するSC-FDMAシンボル（つまり、第2，第4，第9および第11番目のSC-FDMAシンボル）に多重される。また、下りデータのMIMO（Multiple-Input Multiple Output）多重のランク数（RI: Rank indicator）は、ACK/NACKが配置されるSC-FDMAシンボルに隣接するSC-FDMAシンボル（つまり、第1、第5、第8および第12番目のSC-FDMAシンボル）に多重される。
【０１１０】
MTCカバレッジエンハスメントでは、端末２００から基地局１００及び／又は基地局１００から端末２００へ送信される所望信号の受信電力が非常に小さい環境での運用となることが想定される。よって、MTCカバレッジエンハンスメントモードではMIMOによる通信容量増加を目的としておらず、MIMO多重を用いないことが想定される。つまり、MIMO多重のランク数RIは常に1となるため、端末２００はRI＞1のケースを基地局１００へフィードバックする必要がない。
【０１１１】
そこで、本実施の形態では、追加されたDMRS（追加ＤＭＲＳ。additional DMRS）は、RIが配置されるシンボルに配置されてもよい。例えば、図１０Ｂ又は図１０Ｃに示すように、第1，第5，第8又は第12番目のSC-FDMAシンボルにおいて追加されるDMRSを配置することにより、各SC-FDMAシンボルを構成する１２個のリソースエレメント（RE：Resource Element）のうち、６個のREでは、MTCカバレッジエンハンスメントモードにおいて用いられないRIがDMRSに置き換えられる。よって、PUSCHデータがDMRSに置き換えられるリソースは、残り６個のREで済む。
【０１１２】
このように、追加されるDMRSが、RI送信用に用いられていた第1，第5，第8及び第12番目のSC-FDMAシンボルに配置されることで、DMRSが追加されることによるPUSCHデータのデータビット数の減少を抑えることができる。つまり、PUSCHデータへの影響を最小限に抑えることができる。
【０１１３】
また、図１０Ｂ又は図１０Ｃに示すように、第1，第5，第8及び第12番目のSC-FDMAシンボルに追加されるDMRSが配置されることにより、ACK/NACKが配置されるSC-FDMAシンボルの両隣のシンボルにDMRSが配置されるので、ACK/NACKの伝送品質を高品質に保つことが可能となる。
【０１１４】
［DMRS追加（DMRS Increase）及びDMRS配置（DMRS Mapping）の設定方法］
次に、DMRS増加及びDMRS配置の設定方法について説明する。DMRS増加及びDMRS配置の設定方法には、以下の３つのオプションが考えられる。
【０１１５】
（オプション１：RRCシグナリング）
オプション１では、基地局１００は、PUSCHのカバレッジエンハンスメントレベル（Large，Middle，Small，No coverage enhancement）又はレピティション回数（NRep）を端末２００にRRCシグナリングで予め通知する。
【０１１６】
端末２００は、基地局１００から通知されたカバレッジエンハンスメントレベル又はレピティション回数に基づいて、DMRSを増加させるか否かを決定する。具体的には、端末２００は、Large coverage enhancementレベル又はそれに相当するレピティション回数（例えば128回）が基地局１００から通知された場合、DMRSを増加する。
【０１１７】
また、DMRSとして追加するシンボル数の候補が設定できる場合には、端末２００は、基地局１００から通知されたカバレッジエンハンスメントレベル又はレピティション回数に基づいて、DMRSに用いるシンボル数を決定してもよい。また、基地局１００は、DMRSを追加（increase）する際のSC-FDMAシンボルの位置についても、RRCシグナリングを用いて端末２００に通知してもよい。
【０１１８】
（オプション２：L1シグナリング）
オプション２では、基地局１００は、PUSCHのカバレッジエンハンスメントレベル（Large，Middle，Small，No coverage enhancement）又はレピティション回数（NRep）を、MTC用の下りリンク制御チャネルを用いて端末２００に予め通知する。
【０１１９】
端末２００は、基地局１００から通知されたカバレッジエンハンスメントレベル又はレピティション回数に基づいて、DMRSを増加させるか否かを決定する。具体的には、端末２００は、Large coverage enhancementレベル又はそれに相当するレピティション回数（例えば128回）が基地局１００から通知された場合、DMRSを増加する。
【０１２０】
また、DMRSとして追加するシンボル数の候補が設定できる場合には、端末２００は、基地局１００から通知されたカバレッジエンハンスメントレベル又はレピティション回数に基づいて、DMRSに用いるシンボル数を決定してもよい。また、基地局１００は、DMRSを追加するSC-FDMAシンボルの位置についても、端末２００に対して、MTC用の下りリンク制御チャネルを用いて通知してもよく、RRCシグナリングで予め通知してもよい。
【０１２１】
（オプション３：Implicitシグナリング）
オプション３では、基地局１００は、レピティション回数（NRep）を明示的に端末２００へ通知しない。基地局１００は、MTC用の下りリンク制御チャネルを用いて、MCSのみを端末２００へ通知する。
【０１２２】
レピティション送信における符号化率を用いてレピティション回数を表すことができる場合、端末２００は、基地局１００から通知されたMCSからレピティション送信における符号化率及びレピティション回数を求めることができる。この場合、端末２００は、求めたレピティション回数に基づいて、DMRSを増加させるか否かを決定する。具体的には、端末２００は、Large coverage enhancementレベルに相当するレピティション回数（例えば128回）である場合、DMRSを増加する。
【０１２３】
また、DMRSとして追加するシンボル数の候補が設定できる場合には、端末２００は、求めたレピティション回数に基づいて、DMRSに用いるシンボル数を決定してもよい。また、基地局１００は、DMRSを追加するSC-FDMAシンボルの位置についても、RRCシグナリングを用いて端末２００に予め通知してもよい。
【０１２４】
［実施の形態１のバリエーション１］
MTCカバレッジエンハンスメントでは、端末２００が基地局１００から非常に離れている環境も想定されるため、extended CPモードで運用されることが考えられる。図１２Ａは、extended CPモードで運用される場合の既存のDMRSの配置例を示す。これに対して、図１２Ｂ及び図１２Ｃは、上記実施の形態と同様にして、図１２Ａに示すDMRSの数を２倍にした場合のDMRSの配置例を示す。これにより、extended CPモードで運用される場合でも、Large coverage enhancementレベルが設定された端末２００では、DMRSの増加によって、PUSCHの伝送品質を改善させることができる。
【０１２５】
［実施の形態１のバリエーション２］
DMRSをシンボル単位で増加させる場合のバリーションとして、図１３に示すように、既存のPUCCH（Physical Uplink Control Channel） format 2で規定されたサブフレーム構成（DMRSの配置パターン）に従ってDMRSが配置されてもよい。これにより、DMRSの数を増加させる場合でも、新たなサブフレームフォーマットを特定することなく、既存の規格を流用することができる利点がある。
【０１２６】
（実施の形態２）
実施の形態１では、追加されたDMRSをシンボル単位で配置する場合について説明した。これに対して、本実施の形態では、追加されたDMRSをリソースエレメント（RE）単位で配置する場合について説明する。
【０１２７】
なお、本実施の形態に係る基地局及び端末は、実施の形態１に係る基地局１００及び端末２００と基本構成が共通するので、図８及び図９を援用して説明する。
【０１２８】
基地局１００は、PUSCHの送受信よりも前に、カバレッジエンハンスメントレベル（Large、Middle、Small、No coverage enhancement）又はレピティション回数（NRep）を端末２００に通知する。
【０１２９】
例えば、Large coverage enhancementレベル（15dB、18dB）とレピティション回数NRep＝128とが対応付けられ、Middle coverage enhancementレベル（10dB、12dB）とレピティション回数NRep＝16とが対応付けられ、Small coverage enhancementレベル（5dB、６dB）とレピティション回数NRep＝4とが対応付けられてもよい。
【０１３０】
基地局１００及び端末２００は、実施の形態１と同様、端末２００に対してカバレッジエンハンスメントモード（レピティション送信）が適用される場合、カバレッジエンハンスメントレベルが所定値（例えば、15dB又は18dB）未満の場合、通常の端末に設定されるDMRS（予め規定された数のDMRS）を設定する。すなわち、基地局１００（制御部１０１）及び端末２００（制御部２０６）は、端末２００に設定されるカバレッジエンハンスメントレベル又はレピティション回数（NRep）がMiddle、Small coverage enhancementレベル又はそれらに相当するレピティション回数（例えば、16回、8回）である場合、PUSCHに配置するDMRSの数を増加させない。
【０１３１】
この場合、実施の形態１と同様、例えば、図１０Ａに示すように、DMRSは、１サブフレーム内の各スロットの１シンボル（第3、第10番目のSC-FDMAシンボル）に配置される。
【０１３２】
また、基地局１００及び端末２００は、実施の形態１と同様、端末２００に対してカバレッジエンハンスメントモード（レピティション送信）が適用される場合、カバレッジエンハンスメントレベルが所定値（例えば、15dB又は18dB）以上の場合、通常の端末に設定されるDMRS（予め規定された数のDMRS）に所定数追加したDMRSを設定する。すなわち、基地局１００（制御部１０１）及び端末２００（制御部２０６）は、端末２００に設定されるカバレッジエンハンスメントレベル又はレピティション回数（NRep）がLarge coverage enhancementレベル又はそれに相当するレピティション回数（例えば128回）である場合、PUSCHに配置するDMRSの数を増加させる。
【０１３３】
本実施の形態では、追加されるDMRSは、１サブフレーム内にRE単位で配置される。
【０１３４】
例えば、図１４では、１サブフレーム内の各スロットの１シンボル（第3、第10番目のSC-FDMAシンボル）に配置された既存のDMRSに加え、第1、第5、第8番及び第12番目のSC-FDMAシンボル内の６個のREにDMRSが追加されている。つまり、図１４では、追加されるDMRSが、24個のRE（２シンボル分のRE数と同数）にそれぞれ配置されている。
【０１３５】
なお、DMRSの数を増加させる際、図１４に示す配置例に限定されず、１サブフレームにおいてDMRSを１RE単位で増加させればよい。
【０１３６】
DMRSがRE単位で追加されることによるDMRS増加の粒度は0.6%（≒1/(14*12)）である。つまり、１サブフレームにおいて、DMRSを１RE分増加させると、DMRSによるオーバヘッドは0.6%増加する。
【０１３７】
本実施の形態のように、DMRSをRE単位で追加することで、実施の形態１のようにシンボル単位でDMRSが追加される場合と比較して、サブフレーム内のデータとDMRSとの比率をより細かく設定することが可能となる。
【０１３８】
また、追加されるDMRSの系列として、基地局１００と端末２００との間で既知のQPSKシンボルパターンを用いてもよい。こうすることで、基地局１００では、複数サブフレームに渡るチャネル推定及び同相合成に加えて、追加されたDMRSも同相合成することができるため、チャネル推定精度を向上することができる。
【０１３９】
また、実施の形態１と同様、本実施の形態では、Large coverage enhancementレベルが設定された端末２００に対してのみ、DMRSが追加され、それ以外のMiddle、Small coverage enhancementレベルが設定された端末２００に対しては、DMRSが追加されない。こうすることで、Large coverage enhancementレベルが設定された端末２００では、DMRSの増加によって、チャネル推定精度が向上し、PUSCHの伝送品質を改善させることができる。また、Middle、Small coverage enhancementレベルが設定された端末２００では、DMRSが追加されないので、PUSCHデータのデータビット数が減少することが無い。また、上述したように、Middle、Small coverage enhancementレベルが設定された端末２００では、DMRSの数を増加させなくても、複数サブフレームチャネル推定及びシンボルレベル合成によってPUSCHの伝送品質を改善させることができる（図４Ａを参照）。
【０１４０】
以上のように、本実施の形態によれば、実施の形態１と同様、PUSCHにおける伝送品質を劣化させることなく、基地局１００でのチャネル推定精度を向上させることができる。
【０１４１】
また、実施の形態１で説明したように、MTCカバレッジエンハスメントでは、MIMO多重を用いないことが想定され、MIMO多重のランク数RIは常に1となるため、端末２００はRI＞1のケースを基地局１００へフィードバックする必要がない。
【０１４２】
そこで、本実施の形態では、追加されたDMRSは、RIが配置されるREに配置されてもよい。例えば、図１４に示すように、追加されるDMRSが、RI送信用に用いられた第1，第5，第8および第12番目のSC-FDMAシンボルの各6RE（例えば、図１１を参照）に配置されることで、DMRSが追加されることによるPUSCHデータへの影響が実施の形態１よりも少なくなる。具体的には、図１４では、追加されるDMRSが配置されるRE数（24RE）が、実施の形態１（図１０Ｂ及び図Ｃ）と同一であるものの、追加されるDMRSによってPUSCHデータが置き換えられるリソースは無い。つまり、図１４では、PUSCHデータのデータビット数を減少させることなく、DMRSを追加することができる。
【０１４３】
また、実施の形態１と同様、図１４に示すように、第1，第5，第8及び第12番目のSC-FDMAシンボルに追加されるDMRSが配置されることにより、ACK/NACKが配置されるSC-FDMAシンボルの両隣のシンボルにDMRSが配置されるので、ACK/NACKの伝送品質を高品質に保つことが可能となる。
【０１４４】
［DMRS追加及びDMRS配置の設定方法］
次に、DMRS増加及びDMRS配置の設定方法について説明する。DMRS増加及びDMRS配置の設定方法には、実施の形態１と同様、以下の３つのオプションが考えられる。
【０１４５】
（オプション１：RRCシグナリング）
オプション１では、基地局１００は、PUSCHのカバレッジエンハンスメントレベル（Large，Middle，Small，No coverage enhancement）又はレピティション回数（NRep）を端末２００にRRCシグナリングで予め通知する。
【０１４６】
端末２００は、基地局１００から通知されたカバレッジエンハンスメントレベル又はレピティション回数に基づいて、DMRSを増加させるか否かを決定する。具体的には、端末２００は、Large coverage enhancementレベル又はそれに相当するレピティション回数（例えば128回）が基地局１００から通知された場合、DMRSを増加する。
【０１４７】
また、DMRSとして追加するRE数の候補が設定できる場合には、端末２００は、基地局１００から通知されたカバレッジエンハンスメントレベル又はレピティション回数に基づいて、DMRSに用いるRE数を決定してもよい。また、基地局１００は、DMRSを追加（increase）する際のREの位置又はDMRS系列パターンについても、RRCシグナリングを用いて端末２００に通知してもよい。
【０１４８】
（オプション２：L1シグナリング）
オプション２では、基地局１００は、PUSCHのカバレッジエンハンスメントレベル（Large，Middle，Small，No coverage enhancement）又はレピティション回数（NRep）を、MTC用の下りリンク制御チャネルを用いて端末２００に予め通知する。
【０１４９】
端末２００は、基地局１００から通知されたカバレッジエンハンスメントレベル又はレピティション回数に基づいて、DMRSを増加させるか否かを決定する。具体的には、端末２００は、Large coverage enhancementレベル又はそれに相当するレピティション回数（例えば128回）が基地局１００から通知された場合、DMRSを増加する。
【０１５０】
また、DMRSとして追加するRE数の候補が設定できる場合には、端末２００は、基地局１００から通知されたカバレッジエンハンスメントレベル又はレピティション回数に基づいて、DMRSに用いるRE数を決定してもよい。また、基地局１００は、DMRSを追加するREの位置又はDMRS系列パターンについても、端末２００に対して、MTC用の下りリンク制御チャネルを用いて通知してもよく、RRCシグナリングで予め通知してもよい。
【０１５１】
（オプション３：Implicitシグナリング）
オプション３では、基地局１００は、レピティション回数（NRep）を明示的に端末２００へ通知しない。基地局１００は、MTC用の下りリンク制御チャネルを用いて、MCSのみを端末２００へ通知する。
【０１５２】
レピティション送信における符号化率を用いてレピティション回数を表すことができる場合、端末２００は、基地局１００から通知されたMCSからレピティション送信における符号化率及びレピティション回数を求めることができる。この場合、端末２００は、求めたレピティション回数に基づいて、DMRSを増加させるか否かを決定する。具体的には、端末２００は、Large coverage enhancementレベルに相当するレピティション回数（例えば128回）である場合、DMRSを増加する。
【０１５３】
また、DMRSとして追加するRE数の候補が設定できる場合には、端末２００は、求めたレピティション回数に基づいて、DMRSに用いるRE数を決定してもよい。また、基地局１００は、DMRSを追加するREの位置又はDMRS系列パターンについても、RRCシグナリングを用いて端末２００に予め通知してもよい。
【０１５４】
（実施の形態３）
本実施の形態では、追加されるDMRS（additional DMRS）として、上りリンクのチャネル品質を測定するために端末から基地局へ送信されるサウンディング参照信号（SRS：Sounding Reference Signal）を利用する場合について説明する。
【０１５５】
SRSは、図１５に示すように、サブフレームの最終シンボルに多重され、端末２００から基地局１００へ周期的に送信されることが規定されている。図１５は、１サブフレーム周期でSRSが送信される例を示す。通常、基地局１００は、SRSを用いたチャネル品質の測定結果に基づいて、端末２００がPUSCH信号を送信するためのスケジューリングを行う。
【０１５６】
本実施の形態に係る基地局及び端末は、実施の形態１に係る基地局１００及び端末２００と基本構成が共通するので、図８及び図９を援用して説明する。
【０１５７】
本実施の形態では、実施の形態１と同様、基地局１００（制御部１０１）及び端末２００（制御部２０６）は、端末２００に設定されるカバレッジエンハンスメントレベル又はレピティション回数（NRep）がLarge coverage enhancementレベル又はそれに相当するレピティション回数（例えば128回）である場合、PUSCHに配置するDMRSの数を増加させる。
【０１５８】
その際、基地局１００は、端末２００が送信するDMRSに加えて、SRSを用いてチャネル推定を行う。より具体的には、本実施の形態に係る基地局１００において、MTCカバレッジエンハンスメントモードが設定された端末２００に対して、デマッピング部１１４は、SRSが送信されるサブフレームでは、抽出した端末２００のPUSCHのサブフレームを、SRS，DMRSと、データシンボルとに分解し、DMRS及びSRSをチャネル推定部１１５に出力し、データシンボルを等化部１１６に出力する。そして、チャネル推定部１１５は、デマッピング部１１４から入力されるDMRS及びSRSを用いてチャネル推定を行う。
【０１５９】
このように、基地局１００において、データシンボルの復調用参照信号として、DMRSに加え、SRSを用いてチャネル推定を行うことにより、チャネル推定精度を向上させることができる。
【０１６０】
こうすることで、本実施の形態では、実施の形態１及び実施の形態２のように、DMRSを新たに追加することなく、データシンボルの復調用の参照信号の数を増加させることができる。このため、PUSCHデータの符号化率を変えることなくチャネル推定精度を向上させることが可能である。
【０１６１】
なお、図１５に示すように、SRSは１サブフレームに１シンボルのみ送信されるので、チャネル推定改善は、１サブフレーム周期でSRSが送信される場合、実施の形態１又は実施の形態２においてDMRSを1.5倍に増加させる場合と等価である。
【０１６２】
［実施の形態３のバリエーション］
基地局１００におけるチャネル推定精度は、SRSの送信周期に依存する。例えば、SRSの送信周期が２サブフレーム毎である場合、SRSが送信されないサブフレームでは、従来と同様、１サブレームに２シンボル分のDMRSしか存在しないため、１サブフレーム毎にSRSを送信している場合と比較してチャネル推定精度が劣化する。
【０１６３】
そこで、上記チャネル推定精度がSRSの送信周期に依存する問題を解決するために本実施の形態のバリエーションでは、SRSが送信されないサブフレームでは、図１６Ａに示すように最終シンボルにDMRSを追加し、SRSが送信されるサブフレームでは、図１６Ｂに示すようにDMRSを追加しない。
【０１６４】
この際、端末２００において、制御部２０６は、SRSを送信しないサブフレームにおいて、DMRSを追加して送信することをDMRS生成部２０７に指示する。
【０１６５】
DMRS生成部２０７は、制御部２０６から指示されたDMRS数の増加の有無、増加するDMRS数、DMRSの位置（サブフレーム、及び、サブフレーム内のシンボルの位置）、及び、DMRSパターンに従ってDMRSを生成し、生成したDMRSを多重部２１０へ出力する。
【０１６６】
一方、基地局１００において、チャネル推定部１１５は、端末２００に対してDMRSが追加された場合、SRSが送信されるサブフレームでは、既存のDMRS（予め規定された数のDMRS）と、SRSとを用いてチャネル推定を行う。一方、チャネル推定部１１５は、SRSが送信されないサブフレームでは、既存のDMRSと、SRSが配置されるサブフレームにおいてSRSが配置される位置（最終シンボル）に追加されたDMRSとを用いてチャネル推定を行う。
【０１６７】
このように、DMRSを追加する際に、チャネル推定にSRSも利用することで、DMRSの追加によるデータシンボルへの影響を最小限に抑え、かつ、SRSの送信周期に依存せずにチャネル推定精度を向上させることができる。
【０１６８】
［DMRS追加及びDMRS配置の設定方法］
次に、本実施の形態のバリエーションにおけるDMRS増加及びDMRS配置の設定方法について説明する。DMRS増加及びDMRS配置の設定方法には、実施の形態１と同様、以下の３つのオプションが考えられる。
【０１６９】
（オプション１：RRCシグナリング）
オプション１では、基地局１００は、PUSCHのカバレッジエンハンスメントレベル（Large，Middle，Small，No coverage enhancement）又はレピティション回数（NRep）を端末２００にRRCシグナリングで予め通知する。
【０１７０】
端末２００は、基地局１００から通知されたカバレッジエンハンスメントレベル又はレピティション回数に基づいて、DMRSを増加させるか否かを決定する。具体的には、端末２００は、Large coverage enhancementレベル又はそれに相当するレピティション回数（例えば128回）が基地局１００から通知された場合、SRSを送信しないサブフレームの最終シンボルにおいてDMRSを増加する。
【０１７１】
（オプション２：L1シグナリング）
オプション２では、基地局１００は、PUSCHのカバレッジエンハンスメントレベル（Large，Middle，Small，No coverage enhancement）又はレピティション回数（NRep）を、MTC用の下りリンク制御チャネルを用いて端末２００に予め通知する。
【０１７２】
端末２００は、基地局１００から通知されたカバレッジエンハンスメントレベル又はレピティション回数に基づいて、DMRSを増加させるか否かを決定する。具体的には、端末２００は、Large coverage enhancementレベル又はそれに相当するレピティション回数（例えば128回）が基地局１００から通知された場合、SRSを送信しないサブフレームの最終シンボルにおいてDMRSを増加する。
【０１７３】
（オプション３：Implicitシグナリング）
オプション３では、基地局１００は、レピティション回数（NRep）を明示的に端末２００へ通知しない。基地局１００は、MTC用の下りリンク制御チャネルを用いて、MCSのみを端末２００へ通知する。
【０１７４】
レピティション送信における符号化率を用いてレピティション回数を表すことができる場合、端末２００は、基地局１００から通知されたMCSからレピティション送信における符号化率及びレピティション回数を求めることができる。この場合、端末２００は、求めたレピティション回数に基づいて、DMRSを増加させるか否かを決定する。具体的には、端末２００は、Large coverage enhancementレベルに相当するレピティション回数（例えば128回）である場合、SRSを送信しないサブフレームの最終シンボルにおいてDMRSを増加する。
【０１７５】
以上、本開示の各実施の形態について説明した。
【０１７６】
なお、上記実施の形態において用いた、レピティション回数、MTCカバレッジエンハンスメントレベル、サブフレーム内に配置されるDMRS数の値は一例であって、これらに限定されるものではない。また、上記実施の形態における追加されたDMRSを配置する位置は一例であって、これらに限定されるものではない。
【０１７７】
また、上記実施の形態では、本開示の一態様をハードウェアで構成する場合を例にとって説明したが、本開示はハードウェアとの連携においてソフトウェアで実現することも可能である。
【０１７８】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１８０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１８１】
本開示の基地局は、１サブフレーム内にデータシンボルと復調用参照信号（ＤＭＲＳ）とが時間多重された上りリンク信号を複数のサブフレームに渡ってレピティションする端末に対して、前記複数のサブフレームの数に対応するカバレッジエンハンスメントレベルが所定値未満の場合、第１のＤＭＲＳを設定し、前記カバレッジエンハンスメントレベルが前記所定値以上の場合、前記第１の数より大きい第２の数のＤＭＲＳを設定する制御部と、前記端末から送信された、前記ＤＭＲＳを含む前記上りリンク信号を受信する受信部と、前記受信された上りリンク信号に含まれる前記ＤＭＲＳを用いてチャネル推定を行うチャネル推定部と、を具備する構成を採る。
【０１８２】
また、本開示の基地局において、前記第２の数のＤＭＲＳは、前記第１の数のＤＭＲＳに、追加ＤＭＲＳ（additional DMRS）を追加することにより得られる。
【０１８３】
また、本開示の基地局において、前記第２の数のＤＭＲＳは、前記第１の数のＤＭＲＳに、追加ＤＭＲＳ（additional DMRS）を追加することにより得られ、前記追加ＤＭＲＳは、１サブフレーム内にシンボル単位で配置される。
【０１８４】
また、本開示の基地局において、前記追加ＤＭＲＳは、ランクインジケータ（ＲＩ）が配置されるシンボルに配置される。
【０１８５】
また、本開示の基地局において、前記端末に対して前記第２の数のＤＭＲＳが設定された場合、前記ＤＭＲＳは、PUCCH format 2で規定されたＤＭＲＳの配置パターンに従って配置される。
【０１８６】
また、本開示の基地局において、前記第２の数のＤＭＲＳは、前記第１の数のＤＭＲＳに、追加ＤＭＲＳ（additional DMRS）を追加することにより得られ、前記追加ＤＭＲＳは、１サブフレーム内にリソースエレメント単位で配置される。
【０１８７】
また、本開示の基地局において、前記第２の数のＤＭＲＳは、前記第１の数のＤＭＲＳに、追加ＤＭＲＳ（additional DMRS）を追加することにより得られ、前記追加ＤＭＲＳは、ランクインジケータ（ＲＩ）が配置されるリソースエレメントに配置される。
【０１８８】
また、本開示の基地局において、前記第２の数のＤＭＲＳは、前記第１の数のＤＭＲＳに、追加ＤＭＲＳ（additional DMRS）を追加することにより得られ、前記端末に対して前記第２の数のＤＭＲＳが設定された場合、前記チャネル推定部は、サウンディング参照信号（ＳＲＳ）が送信される第１サブフレームでは、前記第１の数のＤＭＲＳと、前記ＳＲＳとを用いてチャネル推定を行い、前記ＳＲＳが送信されない第２サブフレームでは、前記第１の数のＤＭＲＳと、前記第１サブフレームにおいてＳＲＳが配置される位置に配置された前記追加ＤＭＲＳとを用いてチャネル推定を行う。
【０１８９】
本開示の端末は、１サブフレーム内にデータシンボルと復調用参照信号（ＤＭＲＳ）とが時間多重された上りリンク信号に対して複数のサブフレームに渡るレピティションを適用する場合、自端末に対して、前記複数のサブフレームの数に対応するカバレッジエンハンスメントレベルが所定値未満の場合、第１の数のＤＭＲＳを設定し、前記カバレッジエンハンスメントレベルが前記所定値以上の場合、前記第１の数より大きい第２の数のＤＭＲＳを設定する制御部と、前記ＤＭＲＳを含む前記上りリンク信号を送信する送信部と、を具備する構成を採る。
【０１９０】
本開示の受信方法は、１サブフレーム内にデータシンボルと復調用参照信号（ＤＭＲＳ）とが時間多重された上りリンク信号を複数のサブフレームに渡ってレピティションする端末に対して、前記複数のサブフレームの数に対応するカバレッジエンハンスメントレベルが所定値未満の場合、第１の数のＤＭＲＳを設定し、前記カバレッジエンハンスメントレベルが前記所定値以上の場合、前記第１の数より大きい第２の数のＤＭＲＳを設定し、前記端末から送信された前記ＤＭＲＳを含む前記上りリンク信号を受信し、前記受信された上りリンク信号に含まれる前記ＤＭＲＳを用いてチャネル推定を行う。
【０１９１】
本開示の送信方法は、１サブフレーム内にデータシンボルと復調用参照信号（ＤＭＲＳ）とが時間多重された上りリンク信号に対して複数のサブフレームに渡るレピティションを適用する場合、自端末に対して、前記複数のサブフレームの数に対応するカバレッジエンハンスメントレベルが所定値未満の場合、第１の数のＤＭＲＳを設定し、前記カバレッジエンハンスメントレベルが前記所定値以上の場合、前記第１の数より大きい第２の数のＤＭＲＳを設定し、前記ＤＭＲＳを含む前記上りリンク信号を送信する。
【産業上の利用可能性】
【０１９２】
本開示の一態様は、移動通信システムに有用である。
【符号の説明】
【０１９３】
１００  基地局
２００  端末
１０１，２０６  制御部
１０２  制御信号生成部
１０３，２０８  符号化部
１０４，２０９  変調部
１０５，２１３  マッピング部
１０６，２１４  IFFT部
１０７，２１５  CP付加部
１０８，２１６  送信部
１０９，２０１  アンテナ
１１０，２０２  受信部
１１１，２０３  CP除去部
１１２，２０４  FFT部
１１３  合成部
１１４  デマッピング部
１１５  チャネル推定部
１１６  等化部
１１７  復調部
１１８  復号部
１１９  判定部
２０５  抽出部
２０７  DMRS生成部
２１０  多重部
２１１  DFT部
２１２  レピティション部
【図１】
2019071640.tif 000003
【図２】
2019071640.tif 000004
【図３】
2019071640.tif 000005
【図４Ａ】
2019071640.tif 000006
【図４Ｂ】
2019071640.tif 000007
【図５】
2019071640.tif 000008
【図６】
2019071640.tif 000009
【図７】
2019071640.tif 000010
【図８】
2019071640.tif 000011
【図９】
2019071640.tif 000012
【図１０Ａ】
2019071640.tif 000013
【図１０Ｂ】
2019071640.tif 000014
【図１０Ｃ】
2019071640.tif 000015
【図１１】
2019071640.tif 000016
【図１２Ａ】
2019071640.tif 000017
【図１２Ｂ】
2019071640.tif 000018
【図１２Ｃ】
2019071640.tif 000019
【図１３】
2019071640.tif 000020
【図１４】
2019071640.tif 000021
【図１５】
2019071640.tif 000022
【図１６Ａ】
2019071640.tif 000023
【図１６Ｂ】
2019071640.tif 000024